(57)【要約】【課題】夏場等、虫類が発生するようになると、夜間に灯りを求めて、自動販売機の照明ディスプレイ部に虫類が群がり、不衛生でかつ、見た目にも利用客に不快感を与えるため、自動販売機から音波を発生させ、効率よく虫類を排除できる自動販売機の制御装置を提供することを目的とする。【解決手段】自動販売機周辺の明るさを検知する明るさ検知手段１０を設け、明るさ検知手段１０で自動販売機周辺が暗いと判断した時のみ、音波発生装置１２を作動させることにより、虫が集まりやすい夜間のみ音波発生装置１２を作動させることで、虫除けを効率よく行うと共に音波発生装置１２の省エネを図ることができる。【選択図】図１
2011048726.tif 000002
【特許請求の範囲】
【請求項１】
超音波音により虫類を除去する音波発生装置を有した自動販売機であって、自動販売機周辺の明るさを検知する明るさ検知手段を設け、明るさ検知手段で自動販売機周辺が暗いと判断した時のみ、前記音波発生装置を作動させることを特徴とする自動販売機の制御装置。
【請求項２】
タイマー手段を設け、音波発生装置の作動時間を可変できることを特徴とする請求項１に記載の自動販売機の制御装置。
【請求項３】
超音波音により虫類を除去する音波発生装置を有した自動販売機であって、自動販売機に設けられた照明装置の作動時間を制御する設定手段に連動させ、照明装置が作動している時のみ音波発生装置を作動させることを特徴とする自動販売機の制御装置。
【請求項４】
前記音波発生装置から出力される超音波音の周波数を可変できる周波数可変手段を設けたことを特徴とする請求項１から３のいずれか一項に記載の自動販売機の制御装置。
【請求項５】
自動販売機の正面に人感センサを設け、自動販売機の照明装置が点灯していて、前記人感センサで自動販売機近傍に人がいると検知した時のみ音波発生装置を作動させることを特徴とする請求項１から４のいずれか一項に記載の自動販売機の制御装置。
【請求項６】
前記音波発生装置は、自動販売機に設けられた音声誘導装置に接続されたことを特徴とする請求項１から５のいずれか一項に記載の自動販売機の制御装置。
【発明の詳細な説明】
【技術分野】
【０００１】
本発明は、自動販売機の商品展示棚等に集まる虫類を効率よく防除するための制御装置に関するものである。
【背景技術】
【０００２】
従来、音波発生装置を利用した防虫装置として、特許文献１に示されているものがある。
【０００３】
該防虫装置は、家屋の開口部に対向する状態で装着するものである。
【先行技術文献】
【特許文献】
【０００４】
【特許文献１】特開２００６−８７４１６号公報
【発明の概要】
【発明が解決しようとする課題】
【０００５】
しかしながら、上述のような音波発生装置を利用した防虫装置を自動販売機に適用した場合、音波発生装置の動作を連続通電すると、無駄な電力を消費するという課題がある。また、音波発生装置の動作を、手動で切換えるには、手間がかかり実用的でない。
【０００６】
本発明は、上記従来の課題を解決するもので、虫除けを効率よく行うと共に音波発生装置の省エネを図ることができる自動販売機の制御装置を提供することを目的とする。
【課題を解決するための手段】
【０００７】
上記従来の課題を解決するために、本発明の自動販売機の制御装置は、自動販売機周辺の明るさを検知する明るさ検知手段を設け、明るさ検知手段で自動販売機周辺が暗いと判断した時のみ音波発生装置を作動させるものである。
【０００８】
これによって、音波発生装置による虫除けを効率よく行うと共に、省エネを図ることができる。
【発明の効果】
【０００９】
本発明の自動販売機の制御装置は、超音波音により虫類を除去する音波発生装置と、自動販売機周辺の明るさを検知する明るさ検知手段を設け、明るさ検知手段で自動販売機周辺が暗いと判断した時のみ、音波発生装置を作動させることにより、音波発生装置による虫除けを効率よく行うと共に、省エネを図ることができる。
【図面の簡単な説明】
【００１０】
【図１】本発明の実施の形態を示す自動販売機の正面図
【図２】本発明の実施の形態１による自動販売機の制御装置の機能ブロック図
【図３】本発明の実施の形態２による自動販売機の制御装置の機能ブロック図
【図４】本発明の実施の形態３による自動販売機の制御装置の機能ブロック図
【図５】本発明の実施の形態４による自動販売機の制御装置の機能ブロック図
【図６】本発明の実施の形態５による自動販売機の制御装置の機能ブロック図
【図７】本発明の実施の形態６による自動販売機の制御装置の機能ブロック図
【発明を実施するための形態】
【００１１】
請求項１に記載の発明は、超音波音により虫類を除去する音波発生装置を有した自動販売機であって、自動販売機周辺の明るさを検知する明るさ検知手段を設け、明るさ検知手段で自動販売機周辺が暗いと判断した時のみ、前記音波発生装置を作動させるものであり、音波発生装置による虫除けを夜間のみ行う効率のよい運転と、省エネを図ることができる。
【００１２】
請求項２に記載の発明は、請求項１に記載の発明において、タイマー手段を設け、音波発生装置の作動時間を可変できるものであり、夜間でも、不必要と判断した時間帯は音波発生装置を作動させないことができ、更なる省エネを図ることができる。
【００１３】
請求項３に記載の発明は、超音波音により虫類を除去する音波発生装置を有した自動販売機であって、自動販売機に設けられた照明装置の作動時間を制御する設定手段に連動させ、照明装置が作動している時のみ音波発生装置を作動させるものであり、自動販売機の照明装置の明るい時に集まってくる虫を効率よく除去できる。
【００１４】
請求項４に記載の発明は、請求項１から３のいずれか一項に記載の発明において、前記音波発生装置から出力される超音波音の周波数を可変できる周波数可変手段を設けたものであり、駆除したい虫の種類に応じて音波発生装置から発生する超音波音の周波数を変えることができ、１つの音波発生装置により、さまざまな虫の駆除ができる。
【００１５】
請求項５に記載の発明は、請求項１から４のいずれか一項に記載の発明において、自動販売機の正面に人感センサを設け、自動販売機の照明装置が点灯していて、前記人感センサで自動販売機近傍に人がいると検知した時のみ音波発生装置を作動させるものであり、夜間、自動販売機の利用者がいるときのみ、音波発生装置を作動させ、虫を除去することで、自動販売機利用客に対して、不快感を防止できる。
【００１６】
請求項６に記載の発明は、請求項１から５のいずれか一項に記載の発明において、前記音波発生装置は、自動販売機に設けられた音声誘導装置に接続されたものであり、音声誘導装置と音波発生装置を兼用化することができ、取り付けの省スペース化ができる。
【００１７】
以下、本発明の実施の形態について、図面を参照しながら説明する。なお、この実施の形態によってこの発明が限定されるものではない。
【００１８】
（実施の形態１）
図１は本発明の実施の形態１を示す自動販売機の正面図である。図２は、本実施の形態１における自動販売機の制御装置の機能ブロック図である。
【００１９】
図１、図２において、筐体１は自動販売機本体であり、前部開口部には外扉２が販売対応面として配置されている。外扉２の上部に販売商品を表示するサンプル商品３が複数配置されている。各々のサンプル商品３の下部には、商品選択手段４が配置されている。サンプル商品３の下方には商品のイメージ広告などを掲示する広告パネル室５、金銭投入口７、釣銭返却口８、金額表示手段９、商品取出し口１１が備えられている。サンプル商品３の上下には、照明装置６が配置されており、サンプル商品３、広告パネル室５を照らしている。明るさ検知手段１０は、光センサなどで構成されており、自動販売機前方を検知領域として自動販売機周辺の明るさを検知する。音波発生装置１２は、自動販売機内に設置され、２０ｋＨｚ〜７０ｋＨｚの超音波音を自動販売機の正面から外部へ発生することができる。金銭識別手段１３は、金銭投入口から投入された金銭を識別し、また、釣銭等がある場合は釣銭返却口８へ金銭を返却する。商品搬出装置１４は、商品選択手段５が押された時に、販売可能であれば、商品取出し口１１に、商品を販売する。制御部１５ａは商品選択手段５、照明手段６、明るさ検知手段１０、音波発生装置１２、金銭識別手段１
３、商品搬出装置１４と接続されている。
【００２０】
以上のように構成された自動販売機の制御装置について、以下、その動作を説明する。
【００２１】
制御部１５ａは、明るさ検知手段１０を通じて自動販売機周辺の明るさを判断する。制御部１５ａは自動販売機周辺が明るいと判断した時は、音波発生装置１２を停止させ、自動販売機周辺が暗いと判断した時は、音波発生装置１２を作動させ、超音波音を自動販売機の正面から外部へ発生させる。２０ｋＨｚ〜７０ｋＨｚの超音波音は、蚊の天敵であるコウモリが発する超音波音と同じ周波数であり、この周波数を感じた蚊を自動販売機から逃避させることができる。
【００２２】
以上のように本実施の形態の自動販売機の制御装置によれば、自動販売機前方を検知領域として自動販売機周辺の明るさを検知する明るさ検知手段１０と、自動販売機内に設置され、超音波音を自動販売機の正面から外部へ発生する音波発生装置１２を制御部１５ａに接続したものであり、明るさ検知手段１０により、自動販売機周辺が暗いと判断した時は、音波発生装置１２を作動させ、超音波音を自動販売機の正面から外部へ発生させることにより、音波発生装置１２による虫除けを夜間のみ行う効率のよい運転と、省エネを図ることができる。
【００２３】
（実施の形態２）
図３は、本発明の第２の実施の形態における自動販売機の制御装置の機能ブロック図である。尚、実施の形態１と同一構成については、同一符号を付して詳細な説明を省略する。
【００２４】
図３において、タイマー手段１６は、制御部１５ｂに接続され、音波発生装置１２の作動時間を設定するものである。
【００２５】
以上のように構成された自動販売機の制御装置について、以下、その動作を説明する。
【００２６】
あらかじめ、タイマー手段１６にて、音波発生装置１２の作動時間を設定することで、制御部１５ｂ内の記憶部に音波発生装置１２の作動時間が記憶される。制御部１５ｂは、明るさ検知手段１０で、自動販売機周辺が暗いと判断している時、自動販売機で計測している現在時刻（図示せず）が、制御部１５ｂ内の記憶部に記憶された音波発生装置１２の作動時間内かどうか判断し、作動時間内であれば、音波発生装置１２にて超音波音を自動販売機の正面から外部へ発生させる。
【００２７】
以上のように、本実施の形態の自動販売機の制御装置によれば、音波発生装置１２の作動時間を設定するタイマー手段１６を設けることで、音波発生装置の作動時間を可変できるようにすることで、夜間でも、不必要と判断した時間帯は音波発生装置１２を作動させないことができ、更なる省エネを図ることができる。
【００２８】
尚、本発明の実施例では、明るさ検知手段１０とタイマー手段１６の両方を満足した時に音波発生装置１２を作動させたが、明るさ検知手段１０とタイマー手段１６の優先順位を変更しても構わない。
【００２９】
（実施の形態３）
図４は、本発明の第３の実施の形態における自動販売機の制御装置の機能ブロック図である。
【００３０】
図４において、照明装置６の作動時間を制御する設定手段１７は、制御部１５ｃに接続
され、照明装置６の作動時間を設定するものである。
【００３１】
以上のように構成された自動販売機の制御装置について、以下、その動作を説明する。
【００３２】
あらかじめ、設定手段１７にて、照明装置６の作動時間を設定することで、制御部１５ｃ内の記憶部に照明装置６の作動時間が記憶される。制御部１５ｃは、自動販売機で計測している現在時刻が、制御部１５ｃ内の記憶部に記憶された照明装置６の作動時間内かどうか判断し、作動時間内であれば、照明装置６を作動すると共に、音波発生装置１２にて超音波音を自動販売機の正面から外部へ発生させる。
【００３３】
以上のように、本実施の形態の自動販売機の制御装置によれば、自動販売機に設けられた照明装置６の作動時間を制御する設定手段１７に連動させ、照明装置６が作動している時のみ音波発生装置１２を作動させることにより、自動販売機の照明装置６の照明に集まってくる虫を効率よく除去できる。
【００３４】
（実施の形態４）
図５は、本実施の形態４における自動販売機の制御装置の機能ブロック図である。
【００３５】
図５において、周波数可変手段１８は制御部１５ｄに接続され、音波発生装置１２から発生する音波の周波数を設定するものである。音波発生装置１２は、制御部１５ｄから指示される周波数の音波を発生するものである。
【００３６】
以上のように構成された自動販売機の制御装置について、以下、その動作を説明する。
【００３７】
あらかじめ、周波数可変手段１８にて、音波発生装置１２が作動した時に発生する音波の周波数を設定する。明るさ検知手段１０で、自動販売機周辺が暗いと判断した時、制御部１５ｄは、音波発生装置１２に対して、周波数可変手段１８で設定した周波数の音波を出力するよう制御する。
【００３８】
以上のように、本実施の形態の自動販売機の制御装置によれば、音波発生装置１２から出力される超音波音の周波数を可変できる周波数可変手段１８を設けることにより、駆除したい虫の種類に応じて音波発生装置１２から発生する超音波音の周波数を変えることができ、１つの音波発生装置１２により、さまざまな虫の駆除ができる。
【００３９】
（実施の形態５）
図６は、本実施の形態５における自動販売機の制御装置の機能ブロック図である。
【００４０】
図６において、人感センサ１９は、制御部１５ｅに接続され、自動販売機正面に人が居ることを検知するものである。
【００４１】
以上のように構成された自動販売機の制御装置について、以下、その動作を説明する。
【００４２】
制御部１５ｅは、明るさ検知手段１０で、自動販売機周辺が明るいと判断している時は、音波発生装置１２を停止させる。自動販売機周辺が暗いと判断している時でも、照明装置６が停止していれば、音波発生装置１２を停止させる。また、自動販売機周辺が暗いと判断している時で、照明装置６が点灯していても、人感センサ１９にて自動販売機近傍に人がいないと判断している時は、音波発生装置１２を停止させる。そして、自動販売機周辺が暗いと判断している時で、照明装置６が点灯していて、かつ、人感センサ１９にて自動販売機近傍に人がいると判断している時に、音波発生装置１２を動作させる。
【００４３】
以上のように、本実施の形態の自動販売機の制御装置によれば、自動販売機の正面に人感センサ１９を設け、自動販売機の照明装置６が点灯していて、人感センサ１９で自動販売機近傍に人がいると検知した時のみ音波発生装置１２を作動させることにより、夜間、自動販売機の利用者がいるときのみ、音波発生装置１２を作動させ、虫を除去することで、自動販売機利用客に対して、不快感を防止できる。
【００４４】
（実施の形態６）
図７は、本実施の形態６における自動販売機の制御装置の機能ブロック図である。
【００４５】
図７において、音声誘導装置２０は、制御部１５ｆに接続され、利用客が自動販売機をスムーズに利用できるよう音声案内するものである。制御部１５ｆは、音声誘導装置２０に対して、音声誘導メッセージだけでなく、超音波を出力できるよう音波発生出力源を出力する。
【００４６】
以上のように構成された自動販売機の制御装置について、以下、その動作を説明する。
【００４７】
まず、利用客が自動販売機で商品購入する時の制御部１５ｆの動作を説明する。金銭識別装置１３で、金銭が自動販売機に投入されたことを検知すると、音声誘導装置２０を通じて、購入したい商品を選択するよう音声誘導メッセージを出力する。利用客が商品選択手段５を操作すると、商品搬出装置１４を駆動し、利用客が選択した商品を商品取出し口１１へ搬出すると共に、金銭識別装置１３からお釣りを釣銭返却口８へ返却すると共に、音声誘導装置２０を通じて、搬出した商品とお釣りを取るよう音声誘導メッセージを出力する。
【００４８】
次に、夜になり（明るさ検知手段１０で自動販売機周辺が暗いと判断している時）、照明装置６が点灯すると、制御部１５ｆは、音声誘導装置２０に対して、音波発生出力源を出力することで、音声誘導装置２０から、音波を発生させる。
【００４９】
自動販売機に設けられた音声誘導装置に音波発生出力源を接続することで、音声誘導装置と音波発生装置を兼用化することができ、取り付けの省スペース化ができる。
【産業上の利用可能性】
【００５０】
以上のように、本発明にかかる自動販売機の制御装置は、超音波音により虫類を除去する音波発生装置と、自動販売機周辺の明るさを検知する明るさ検知手段を設け、明るさ検知手段で自動販売機周辺が暗いと判断した時のみ、音波発生装置を作動させることにより、音波発生装置による虫除けを効率よく行うと共に、省エネを図ることができるので、あらゆる照明装置を備えた自動販売機器等の用途にも適用できる。
【符号の説明】
【００５１】
１０  明るさ検知手段
１２  音波発生装置
１５ａ、１５ｂ、１５ｃ、１５ｄ、１５ｅ、１５ｆ  制御部
１６  タイマー手段
１７  設定手段
１８  周波数可変手段
１９  人感センサ
２０  音声誘導装置
【図１】
2011048726.tif 000003
【図２】
2011048726.tif 000004
【図３】
2011048726.tif 000005
【図４】
2011048726.tif 000006
【図５】
2011048726.tif 000007
【図６】
2011048726.tif 000008
【図７】
2011048726.tif 000009